(57)【要約】【課題】部品点数と組立工数を削減し、安全で作業効率が良く、製作工程を短縮し、製作仕掛かり前の保管用地と管理の手間を削減した制御盤の製作方法を提供する。【解決手段】電気用品取付用のパネル１は、筐体の幅方向寸法および縦方向寸法より小さい寸法で一体の部品で形成される。盤外で、パネル１の電気用品を取り付ける面に、電気用品取付用部品５ａ，５ｂ、電気用品６、配線ダクト７ａ，７ｂ，７ｃ、配線部品８ａ，８ｂおよび接地母線９などを取り付け、電気配線施工を行う。その後、電気配線施工を実施したパネル１に、パネル１の面長辺方向の両側からそれぞれ天井部材２および底部材３を取り付け、パネル１の面短辺方向の両側から側面部材４を取り付けて、筐体を形成する。筐体の開口部には、扉などを取り付ける。【選択図】        図３
2004312941.tif 000002
【特許請求の範囲】
【請求項１】
筐体内の縦方向に電気用品取付用のパネルを配し、前記パネルに電気用品を取り付けて、配線施工を施し、前記パネルの前記電気用品を取り付ける面の垂直方向から前記電気用品を保守点検・操作を実施する制御盤の製作方法であって、保守点検・操作を実施する方向毎に前記パネルを１つの部材で構成し、盤外で前記パネルに電気用品取付用部品、電気用品、配線ダクトおよび配線部品を取り付けて、配線施工を施した後に、前記パネルの長辺方向の両側からそれぞれ筐体の天井部材および底部材を取り付け、前記パネルの前記電気用品の取付面の短辺方向の両側から筐体の側面部材を取り付けることにより筐体を形成することを特徴とする制御盤の製作方法。
【請求項２】
前記パネルの前記電気用品の取付面を上方に向けて配置し、前記電気用品取付用部品、電気用品、配線ダクトおよび配線部品を前記パネル面に取り付けて、配線施工を行う工程と、前記パネルに前記底部材、天井部材および側面部材を取り付ける工程と、前記電気用品の取付面に面する筐体の開口部に扉を取り付ける工程とを備えることを特徴とする請求項１記載の制御盤の製作方法。
【発明の詳細な説明】
【０００１】
【発明の属する技術分野】
本発明は、電気設備などを制御するために設置し、電気用品や制御機器を収納する制御盤の製作方法に関する。
【０００２】
【従来の技術】
制御盤は、筐体内に電気用品や制御機器を収納し、筐体内の保守点検や内部機器の操作などを実施するために扉を設けている。図５は、従来の制御盤の一例を示したものである。（例えば特許文献１参照。）
図５において、鋼板を溶接する方法や、部材を組み立てる方法で製作された筐体１１に、取付枠１２を配置し、複数の部品取付用に穴明加工された電気部品取付用のパネル１３を取り付ける。次に、電気用品取付部材１５ａ，１５ｂ、電気用品６、配線部材１６および配線ダクト１４ａ，１４ｂを取り付けて、電気配線施工を実施する。その後、開口部に扉を取り付けて制御盤を完成させる。
【０００３】
一般的に制御盤の高さは２．０ｍ前後の寸法があるため、盤上部の部品の取付作業や配線作業は、脚立等を使用して作業している。また、一般的に制御盤の幅は、０．７ｍ前後の寸法であるため、複数の作業員が筐体の中に入って同時に作業することはできない。さらに、工程的に筐体１１とパネル１３が同時期に揃っていないと、制御盤の製作が進まない。
【０００４】
【特許文献１】
特開平１１−２５２７１７号公報
【０００５】
【発明が解決しようとする課題】
上記のように従来の制御盤は、予め筐体１１を製作し、筐体１１を直立させた状態で部品の組立作業や電気配線作業を実施する。このため、作業者は筐体１１内に腕や身体を入れての狭い環境での作業となり、しかも作業全般に亘り一人作業となるため、作業性が悪い。また、筐体１１の上部の部品取付や配線作業は脚立や踏み台を使用した高所作業となり、危険がある。さらに、筐体１１の下方の作業は、屈んだり、中腰状態で実施することとなり、作業者に身体的負担を掛ける。また、工程的に筐体１１とパネル１３が同時期に揃っていないと、制御盤の製作が進まないため、製作効率が悪い。
【０００６】
次に、鋼材を溶接する方法で筐体１１を製作する場合には、生産量が多い時、生産仕掛かり前に保管用地を多く確保する必要があり、保管に際しては、転倒防止等の管理を実施しなければならない。また、筐体１１の製作工場から組立作業場に至る運搬過程で、筐体１１の外皮に歪みやキズなどの不良を発生させることがある。
【０００７】
さらに、従来の制御盤は、制御機器や電気用品、配線部品などを取り付けるパネル１３は、取付作業が容易な大きさと重量とするため、複数個に分割して製作されている。そのため、部品点数やねじ止め箇所が多く、組立工数が多くなるという問題がある。
【０００８】
本発明は、上記のような問題点を解消するためになされたもので、部品点数と組立工数を削減し、安全で作業効率が良く、製作工程を短縮し、製作仕掛かり前の保管用地と管理の手間を削減した制御盤の製作方法を提供することを目的とする。
【０００９】
【課題を解決するための手段】
本発明は、筐体内の縦方向に電気用品取付用のパネルを配し、前記パネルに電気用品を取り付けて、配線施工を施し、前記パネルの前記電気用品を取り付ける面の垂直方向から前記電気用品を保守点検・操作を実施する制御盤の製作方法であって、保守点検・操作を実施する方向毎に前記パネルを１つの部材で構成し、盤外で前記パネルに電気用品取付用部品、電気用品、配線ダクトおよび配線部品を取り付けて、配線施工を施した後に、前記パネルの長辺方向の両側からそれぞれ筐体の天井部材および底部材を取り付け、前記パネルの前記電気用品の取付面の短辺方向の両側から筐体の側面部材を取り付けることにより筐体を形成することを特徴とするものである。
【００１０】
また、上記制御盤の製作方法は、前記パネルの前記電気用品の取付面を上方に向けて配置し、前記電気用品取付用部品、電気用品、配線ダクトおよび配線部品を前記パネル面に取り付け、配線施工を行う工程と、前記パネルに前記底部材、天井部材および側面部材を取り付ける工程と、前記電気用品の取付面に面する筐体の開口部に扉を取り付ける工程を備えることを特徴とする。
【００１１】
【発明の実施の形態】
図１は本発明の制御盤の製作方法の実施の形態の一例を示すものである。また、図２および図３は制御盤の製作工程の概念図であり、図４は制御盤の製作工程の流れ図である。
図１において、電気用品取付用のパネル１は、筐体の幅方向寸法および縦方向寸法より小さい寸法で一体の部品で形成される。パネル１の電気用品取付面に、電気用品取付用部品５ａ，５ｂ、電気用品６、配線ダクト７ａ，７ｂ，７ｃ、配線部品８ａ，８ｂおよび接地母線９などが取付けられ、電気配線施工が施される。図２は制御盤の製作方法の一方法の概念図を示したものであり、図４に示す工程Ｓ１に該当する。すなわち、パネル１の部品取付面を上向きに配置し、取付物をパネル１の面上に配置し、電気配線施工まで実施する。図２に示すように、パネル１の取付面には、前記取付物を取り付ける穴５ｃ，５ｄが用意されている。穴５ｃはパネル１の面長辺方向に長穴になっており、電気用品６の大きさに応じて、機器取付間隔の調整を可能としている。
【００１２】
図３は図４における工程Ｓ２の概念図を表したものである。すなわち、電気配線施工を実施したパネル１に、パネル１の面長辺方向からそれぞれ天井部材２および底部材３を取り付け、パネル１の面短辺方向の両方向から側面部材４を取り付ける。
図４における工程Ｓ３は、図１に示す扉１０を取り付ける工程である。
【００１３】
本実施の形態においては、電気用品取付用のパネル１が一体で形成されているため、部品点数と組立工数が削減できる。また、パネル１を作業台のように横倒しの形態に配置して、組立・電気配線施工を筐体外で実施するため、高所作業を伴わずに、複数の作業員でも作業が可能で、安全で作業効率が良い。さらに、筐体とパネル１を同時に用意することなく製作着手ができるため、工程が短縮可能であり、製作仕掛かり前に、部品保管用地と管理の手間を削減できる。
【００１４】
【発明の効果】
以上のように、本発明によれば、部品点数と組立工数を削減し、安全で作業効率が良く、製作工程を短縮し、製作仕掛かり前の保管用地と管理の手間を削減した制御盤の製作方法を提供することが可能である。
【図面の簡単な説明】
【図１】本発明の制御盤の製作方法の実施の形態の一例を示す図である。
【図２】図１に示した制御盤の製作方法の製作工程の一工程を説明する概念図である。
【図３】図１に示した制御盤の製作方法の製作工程の一工程を説明する概念図である。
【図４】本発明の制御盤の製作方法の製作工程の流れ図である。
【図５】従来の制御盤の製作方法の一例を示す図である。
【符号の説明】
１  パネル
２  天井部材
３  底部材
４  側面部材
５ａ，５ｂ  電気用品取付用部品
５ｃ，５ｄ  取付穴
６  電気用品
７ａ，７ｂ，７ｃ  配線ダクト
８ａ，８ｂ  配線部品
９  接地母線
【図１】
2004312941.tif 000003
【図２】
2004312941.tif 000004
【図３】
2004312941.tif 000005
【図４】
2004312941.tif 000006
【図５】
2004312941.tif 000007